(57)【要約】【課題】構成が簡単で操作性がよく、しかも経済的に製造でき、点滴中の患者が安全に、安心して移動可能な点滴スタンドの引っ掛かり防止装置及びこれを用いた点滴スタンドを提供する。【解決手段】上部がメッシュ状となったカーテン１１でベッドのまわりを仕切る病室で使用され、点滴バッグのつり下げフック１４を先側に備えたバッグ掛止部１５、１６を上部に有する点滴スタンド１２に取付けられ、点滴スタンド１２のつり下げフック１４がカーテン１１の上部のメッシュ部１３に引っ掛かることを防止する装置であって、バッグ掛止部１５、１６に取付けられ、メッシュ部１３の格子の内法Ｌよりも幅広のメッシュ当接部２４を有している。【選択図】図１
2011010709.tif 000002
【特許請求の範囲】
【請求項１】
上部がメッシュ状となったカーテンでベッドのまわりを仕切る病室で使用され、点滴バッグのつり下げフックを先側に備えたバッグ掛止部を上部に有する点滴スタンドに取付けられ、該点滴スタンドの前記つり下げフックが前記カーテンの上部のメッシュ部に引っ掛かることを防止する装置であって、
前記バッグ掛止部に取付けられ、前記メッシュ部の格子の内法よりも幅広のメッシュ当接部を有していることを特徴とする点滴スタンドの引っ掛かり防止装置。
【請求項２】
請求項１記載の点滴スタンドの引っ掛かり防止装置において、前記メッシュ当接部は、スポンジ、ゴム、又は合成樹脂で形成され、前記バッグ掛止部への着脱を可能にする取付手段が設けられていることを特徴とする点滴スタンドの引っ掛かり防止装置。
【請求項３】
請求項２記載の点滴スタンドの引っ掛かり防止装置において、前記取付手段は、前記バッグ掛止部を挟持する挟持部及び該挟持部の開閉を行う取手が設けられたクリップであり、前記メッシュ当接部に前記クリップの取手が取付けられていることを特徴とする点滴スタンドの引っ掛かり防止装置。
【請求項４】
請求項２記載の点滴スタンドの引っ掛かり防止装置において、前記取付手段は、前記メッシュ当接部に形成された挿通孔又は切込みであることを特徴とする点滴スタンドの引っ掛かり防止装置。
【請求項５】
請求項１〜４のいずれか１項に記載の点滴スタンドの引っ掛かり防止装置を、前記バッグ掛止部に取付けたことを特徴とする点滴スタンド。
【発明の詳細な説明】
【技術分野】
【０００１】
本発明は、上部がメッシュ状となっているカーテンを設置した病室で使用する点滴スタンドの引っ掛かり防止装置及びこれを用いた点滴スタンドに関する。
【背景技術】
【０００２】
従来、患者が点滴（点滴注射）を行うに際しては、図４（Ａ）に示すように、点滴スタンド８０を使用している。この点滴スタンド８０は、車輪８１、８２が取付けられたベース台８３と、ベース台８３に立設された支柱８４と、支柱８４の上部に設けられ、先側に点滴バッグのつり下げフック８５、８６をそれぞれ備えたバッグ掛止部８７ａ、８７ｂとで構成されている（例えば、特許文献１、２参照）。
これによって、薬剤は、点滴スタンド８０につり下げた点滴バッグから、チューブ及び注射針を介して少量ずつ患者に投与される。なお、点滴中には、患者は動かないことが原則であるが、点滴には長時間（例えば、２時間以上）を要する場合が多く、患者がトイレ等の事情でベッドから離れることが多々ある。
【０００３】
一方、図４（Ａ）に示すように、点滴を行う病室８８には、例えば、複数のベッド間を仕切るカーテン８９が、病室８８の天井部に取付けられたカーテンレール（図示しない）に沿って、開閉可能に設置されている。このカーテン８９は布地で構成され、その上部にはメッシュ部９０が形成されている。
カーテン８９のメッシュ部９０は、病室８８の床面９１から、例えば、１７０ｃｍ以上の高さ位置に設けられ、点滴スタンド８０のバッグ掛止部８７ａ、８７ｂは、床面９１から、例えば、１８５〜１９０ｃｍの範囲で、その高さが調整可能になっている。
このように、カーテン８９のメッシュ部９０と点滴スタンド８０のバッグ掛止部８７ａ、８７ｂの高さ位置が重なっている。
【０００４】
このため、前記したように、患者がベッドから離れる際に、患者や看護師らがカーテン８９を開閉しようとする場合には、図４（Ｂ）、（Ｃ）に示すように、点滴バッグのつり下げフック８５、８６が、カーテン８９のメッシュ部９０（の網の目）に引っ掛かることがあった。
このような場合、看護師らが近くにいれば、つり下げフック８５、８６をカーテン８９のメッシュ部９０から取り外すことを手伝ってもらえる。しかし、通常は、患者が自分で取り外す場合が多く、例えば、取り外す際に患者がふらついたり、また引っ掛かっていることに気付かず患者が歩き始めて転倒したりすると、注射針が抜けてしまう等の恐れがある。
【０００５】
そこで、以上に示した問題を解決するため、以下に示す対処方法が考えられる。
１）カーテンのメッシュ部を無くす。
２）点滴時間を短縮することで、点滴中に移動しなければならないケースを減らす。
３）移動するたびに注射針を抜き刺しする。
【先行技術文献】
【特許文献】
【０００６】
【特許文献１】実開平３−５３２４４号公報
【特許文献２】特開２００１−２８９２０８号公報
【発明の概要】
【発明が解決しようとする課題】
【０００７】
しかしながら、前記した１）〜３）のいずれの方法も、採用することはできなかった。
病室の天井部にカーテンレールが直接取付けられている場合、消防法により、カーテンの上部を９〜１２ｍｍ四方のメッシュ状にすることが規定されている。なお、採光や空調の面からも、カーテンの上部をメッシュ状にすることは必要である。
また、薬剤の注入速度は、その種類ごとに決められており、特に高齢の患者や心臓に疾患のある患者は、薬剤の注入速度が速すぎると、心臓に負担がかかって危険である。
更に、注射針の抜き刺しを行う場合、患者に苦痛を与え、また安全面からみても感染や出血の恐れがある。
【０００８】
本発明はかかる事情に鑑みてなされたもので、構成が簡単で操作性がよく、しかも経済的に製造でき、点滴中の患者が安全に、不安を感じることなく移動可能な点滴スタンドの引っ掛かり防止装置及びこれを用いた点滴スタンドを提供することを目的とする。
【課題を解決するための手段】
【０００９】
前記目的に沿う第１の発明に係る点滴スタンドの引っ掛かり防止装置は、上部がメッシュ状となったカーテンでベッドのまわりを仕切る病室で使用され、点滴バッグのつり下げフックを先側に備えたバッグ掛止部を上部に有する点滴スタンドに取付けられ、該点滴スタンドの前記つり下げフックが前記カーテンの上部のメッシュ部に引っ掛かることを防止する装置であって、
前記バッグ掛止部に取付けられ、前記メッシュ部の格子の内法よりも幅広のメッシュ当接部を有している。
【００１０】
第１の発明に係る点滴スタンドの引っ掛かり防止装置において、前記メッシュ当接部は、スポンジ、ゴム、又は合成樹脂で形成され、前記バッグ掛止部への着脱を可能にする取付手段が設けられていることが好ましい。
【００１１】
第１の発明に係る点滴スタンドの引っ掛かり防止装置において、前記取付手段は、前記バッグ掛止部を挟持する挟持部及び該挟持部の開閉を行う取手が設けられたクリップであり、前記メッシュ当接部に前記クリップの取手が取付けられているのがよい。
【００１２】
第１の発明に係る点滴スタンドの引っ掛かり防止装置において、前記取付手段は、前記メッシュ当接部に形成された挿通孔又は切込みであってもよい。
【００１３】
前記目的に沿う第２の発明に係る点滴スタンドは、第１の発明に係る点滴スタンドの引っ掛かり防止装置を、前記バッグ掛止部に取付けた。
【発明の効果】
【００１４】
本発明に係る点滴スタンドの引っ掛かり防止装置は、バッグ掛止部に取付けられ、メッシュ部の格子の内法よりも幅広のメッシュ当接部を有しているので、バッグ掛止部の先側に設けられた点滴バッグのつり下げフックが、カーテンのメッシュ部の網目に入り込むことを防止できる。これにより、点滴を行っている患者が、例えば、トイレ等によってベッドから移動する際に、点滴スタンドがカーテンのメッシュ部に引っ掛かる恐れがなくなる。
このように、本発明の点滴スタンドの引っ掛かり防止装置は、構成が簡単で経済的に製造でき、例えば、点滴中の患者が安全に安心して移動することを可能にする。
【００１５】
また、メッシュ当接部が、スポンジ、ゴム、又は合成樹脂で形成され、バッグ掛止部への着脱を可能にする取付手段が設けられている場合、構成を簡単にできると共に、バッグ掛止部への取付け取外しも容易にできて操作性が良好である。
【００１６】
ここで、取付手段が、バッグ掛止部を挟持する挟持部及び挟持部の開閉を行う取手が設けられたクリップであり、メッシュ当接部にクリップの取手が取付けられている場合、引っ掛かり防止装置を、安価で容易に製造できる。
また、取付手段が、メッシュ当接部に形成された挿通孔又は切込みである場合、構成を更に簡単にできると共に、製造コストも低減できて経済的である。
【００１７】
本発明に係る点滴スタンドは、点滴スタンドの引っ掛かり防止装置を、バッグ掛止部に取付けているので、点滴スタンドがカーテンのメッシュ部に引っ掛かる恐れがなくなる。これにより、例えば、点滴中の患者が安全に安心して移動することが可能になる。
【図面の簡単な説明】
【００１８】
【図１】（Ａ）は本発明の第１の実施の形態に係る点滴スタンドの引っ掛かり防止装置の正面図、（Ｂ）は同引っ掛かり防止装置の側面図、（Ｃ）は同引っ掛かり防止装置を取付けた点滴スタンドの部分拡大図である。
【図２】（Ａ）は本発明の第２の実施の形態に係る点滴スタンドの引っ掛かり防止装置の正面図、（Ｂ）は同引っ掛かり防止装置の側面図、（Ｃ）は同引っ掛かり防止装置を取付けた点滴スタンドの部分拡大図である。
【図３】（Ａ）は本発明の第３の実施の形態に係る点滴スタンドの引っ掛かり防止装置の正面図、（Ｂ）は同引っ掛かり防止装置の側面図、（Ｃ）は同引っ掛かり防止装置を取付けた点滴スタンドの部分拡大図である。
【図４】（Ａ）は病室内の説明図、（Ｂ）、（Ｃ）はそれぞれ病室内の点滴スタンドがカーテン上部のメッシュ部に引っ掛かった状態を示す説明図である。
【発明を実施するための形態】
【００１９】
続いて、添付した図面を参照しつつ、本発明を具体化した実施の形態につき説明し、本発明の理解に供する。
図１（Ａ）〜（Ｃ）に示すように、本発明の第１の実施の形態に係る点滴スタンドの引っ掛かり防止装置（以下、単に引っ掛かり防止装置ともいう）１０は、上部がメッシュ状となったカーテン１１でベッドのまわりを仕切る病室で使用される点滴スタンド１２に取付ける装置である（図４（Ａ）参照）。以下、詳しく説明する。
【００２０】
点滴スタンド１２が使用される病室には、例えば、複数のベッドが配置された相部屋と、１つのベッドが配置された個室部屋がある。なお、相部屋の場合、カーテンは複数のベッド間を仕切り、個室部屋の場合、カーテンはベッドと他の生活空間（例えば、洗面所等）との間を仕切る。
この病室の天井部には、カーテン１１の上端部を走行可能に取付けたカーテンレールが設置されている。これにより、カーテン１１をカーテンレールに沿って移動させることで、ベッドのまわりを、他の空間から部分的又は全体的に、カーテン１１で仕切ることができる。
【００２１】
カーテン１１は布地（ビニール製でもよい）で構成され、その上部（例えば、床面から１７０ｃｍ以上の高さ位置）がメッシュ状になっている。このカーテン１１の上部のメッシュ部１３は格子状であり、その内法（一辺の内寸）Ｌは、例えば、９〜１２ｍｍ程度である（図４（Ａ）参照）。
図１（Ｃ）に示すように、病室内で使用する点滴スタンド１２は、点滴バッグのつり下げフック１４をそれぞれ先側に備えた２つのバッグ掛止部１５、１６を上部に有するものである。なお、各バッグ掛止部１５、１６は、ベース台（図示しない）に立設された支柱１７の上部に、取付け部１８を介して取付けられている（図４（Ａ）参照）。
【００２２】
ここで、ベース台には、点滴スタンド１２を移動可能にする車輪を設けているが、設けなくてもよい。車輪が設けられている場合、点滴スタンド１２の配置位置が変わるためカーテン１１のメッシュ部１３に引っ掛かり易いが、車輪が設けられていなくても、例えば、点滴スタンドを持って移動させることにより、カーテン１１のメッシュ部１３が引っ掛かることがある。
また、支柱１７は、例えば、伸縮機構を備えており、その高さ調整が可能になっているが、高さ調整ができないものでもよい。
【００２３】
各バッグ掛止部１５、１６は、金属（例えば、ステンレス）製の棒材で構成され、点滴スタンド１２の上部に一直線上に配置されている。なお、ここでは、点滴スタンド１２の上部に２本のバッグ掛止部１５、１６を取付けているが、３本以上の複数本でもよく、また１本でもよい。
各バッグ掛止部１５、１６に設けたつり下げフック１４は、正面視してループ（輪）状になっており、その先部１９が、バッグ掛止部１５、１６の水平部２０とは隙間２１を有して上方へ突出した形状となっている。このように、隙間２１を形成することで、点滴バッグをつり下げフック１４の先部１９から入れ、つり下げフック１４に引っ掛けることができる。
【００２４】
引っ掛かり防止装置１０は、バッグ掛止部１５、１６にそれぞれ取付けられている。
図１（Ａ）、（Ｂ）に示すように、引っ掛かり防止装置１０は、２つの円柱状のスポンジ２２、２３で形成されたメッシュ当接部２４（引っ掛かり防止装置本体）を有している。
このメッシュ当接部２４は、カーテン１１のメッシュ部１３の格子の内法（内寸）よりも幅広であり、メッシュ部１３の網目内に入り込まない（非通過部を有する）構造となっている。なお、カーテン１１のメッシュ部１３に対するメッシュ当接部２４の投影面も、メッシュ部１３の格子の内法よりも幅広である。
【００２５】
即ち、図１（Ａ）に示すように、メッシュ部１３に接触する円柱状のスポンジ２２、２３の直径Ｄ１が、メッシュ部１３の格子の内法Ｌより大きく、しかも、図１（Ｂ）に示すように、各スポンジ２２、２３の高さ方向の最大幅Ｈ１、Ｈ２（直径Ｄ１に相当）が、メッシュ部１３の格子の内法Ｌより大きい。
ここで、図１（Ａ）に示すように、各スポンジ２２、２３の全体（幅方向及び高さ方向）を、メッシュ部１３の格子の内法Ｌよりも大きくすることが好ましい。しかし、図１（Ｂ）に示すように、各スポンジ２２、２３の高さ方向の最大幅Ｈ１、Ｈ２のみを、メッシュ部１３の格子の内法Ｌよりも部分的に大きくしてもよい。
【００２６】
具体的には、前記したように、メッシュ部１３の格子の内法Ｌが９〜１２ｍｍであるため、より確実に引っ掛かりを防止するには、各スポンジ２２、２３の直径Ｄ１及び高さ方向の最大幅Ｈ１、Ｈ２を、格子の対角線長さよりも長い２ｃｍ以上（更には、３ｃｍ以上）にするのがよい。
一方、各スポンジ２２、２３の直径Ｄ１及び高さ方向の最大幅Ｈ１、Ｈ２が、メッシュ部１３の格子の内法Ｌより大きければ、引っ掛かりは発生しないため、その上限値については規定していない。しかし、引っ掛かり防止装置１０の小型化や使用性、更に製造コスト等を考慮すれば、１０ｃｍ以下（更には、７ｃｍ以下）にするのがよい。
【００２７】
各スポンジ２２、２３は、クリップ（取付手段の一例）２５に取付けられている。
クリップ２５は、バッグ掛止部１５、１６を挟持する金属製の挟持部２６、及びこの挟持部２６の開閉を行う取手２７、２８が設けられた従来公知のものである。この取手２７、２８の外側に、２つのスポンジ２２、２３が、それぞれ取付けられている。これにより、２つのスポンジ２２、２３は、図１（Ｂ）に示すように、Ｖ字状に配置される。
このように構成することで、各スポンジ２２、２３の外側から、クリップ２５の取手２７、２８をスポンジ２２、２３を介して挟むように操作することで、挟持部２６を開状態にでき、また取手２７、２８を自由状態にすることで、挟持部２６を閉状態にできる。従って、各バッグ掛止部１５、１６への引っ掛かり防止装置１０の着脱が可能になる。
【００２８】
なお、各スポンジ２２、２３の取手２７、２８への取付けは、接着剤で行っているが、これに限定されるものではなく、例えば、スポンジに切込みを入れ、この切込みにクリップの取手を差し込んだ後、切込みから取手が抜けないように、接着剤等で固定してもよい。
また、クリップ以外の取付手段、例えば、洗濯ばさみや輪ゴム等を使用することもできる。
そして、スポンジの形状は、円柱状に限定されるものではなく、例えば、楕円柱状や角柱状、また円錐状や角錐状でもよい。
【００２９】
以上に示した点滴スタンドの引っ掛かり防止装置１０の各バッグ掛止部１５、１６への取付け位置は、各バッグ掛止部１５、１６の先側の水平部２０である。このとき、スポンジ２２、２３の一方が、各バッグ掛止部１５、１６の先部１９に接触することが好ましいが、カーテン１１のメッシュ部１３が引っ掛かる恐れがなければ、僅少の隙間（例えば、５ｍｍ以下、更には２ｍｍ以下程度）を有して（つり下げフック１４の近傍に）取付けてもよい。また、つり下げフック１４（例えば、先部１９やループ状の部分）に取付けてもよい。
この点滴スタンドの引っ掛かり防止装置１０は、従来から使用されてきた点滴スタンド１２に取付けて使用されるものであるが、この引っ掛かり防止装置１０が予め点滴スタンドのバッグ掛止部に取付けられていてもよい。
【００３０】
続いて、本発明の第１の実施の形態に係る点滴スタンドの引っ掛かり防止装置１０の使用方法について、図１（Ａ）〜（Ｃ）を参照しながら説明する。
まず、点滴スタンド１２に設けられた各バッグ掛止部１５、１６の一方又は双方のつり下げフック１４に、点滴バッグをかける。
次に、引っ掛かり防止装置１０のクリップ２５の挟持部２６を開状態とするため、２つのスポンジ２２、２３を外側から挟み込むように、クリップ２５の取手２７、２８を指で押圧する。
【００３１】
そして、クリップ２５の挟持部２６を、各バッグ掛止部１５、１６の水平部２０に取付け、クリップ２５の取手２７、２８から指を離し、クリップ２５の挟持部２６を閉状態にする。
これにより、引っ掛かり防止装置１０を水平部２０に取付けることができる。なお、引っ掛かり防止装置１０の取付け位置は、スポンジ２２、２３の一方が、つり下げフック１４の先部１９に、接触又は僅少の隙間を有する位置にする。
従って、患者がトイレ等の事情でベッドから離れる場合においても、つり下げフック１４が、カーテン１１のメッシュ部１３に引っ掛かることを防止できる。
【００３２】
次に、本発明の第２の実施の形態に係る点滴スタンドの引っ掛かり防止装置（以下、単に引っ掛かり防止装置ともいう）３０について、図２（Ａ）〜（Ｃ）を参照しながら説明する。
図２（Ａ）、（Ｂ）に示すように、点滴スタンドの引っ掛かり防止装置３０は、１つの円柱状のスポンジで形成されたメッシュ当接部３１（引っ掛かり防止装置本体）を有している。
このメッシュ当接部３１は、カーテン１１のメッシュ部１３の格子の内法よりも幅広であり、メッシュ部１３の網目内に入り込まない構造となっている（図１（Ｃ）参照）。
【００３３】
即ち、図２（Ａ）に示すように、メッシュ部１３に接触するメッシュ当接部３１の直径Ｄ２が、メッシュ部１３の格子の内法Ｌより大きく、しかも、図２（Ｂ）に示すように、メッシュ当接部３１の高さ方向の最大幅Ｈ３（直径Ｄ２に相当）が、メッシュ部１３の格子の内法Ｌより大きい（例えば、２ｃｍ以上１０ｃｍ以下程度）。
なお、スポンジの形状は、例えば、楕円柱状や角柱状、また円錐状や角錐状、更には球状でもよい。
【００３４】
メッシュ当接部３１には、メッシュ当接部３１を幅方向に貫通する挿通孔３２（取付手段の一例）が形成されている。
この挿通孔３２は、引っ掛かり防止装置３０を、各バッグ掛止部１５、１６の水平部２０に取付け固定するためのものである。このため、挿通孔３２の内幅を、水平部２０の幅（直径）よりも小さくして、引っ掛かり防止装置３０の位置ずれを生じにくくするのがよい。
なお、水平部２０に対する引っ掛かり防止装置３０の摩擦抵抗を高めるため、例えば、スポンジに切込みを入れて挿通孔を形成したり、また形成した挿通孔内にゴム等を挿入してもよい。
【００３５】
続いて、以上に示した点滴スタンドの引っ掛かり防止装置３０の使用方法について、図２（Ａ）〜（Ｃ）を参照しながら説明する。
まず、引っ掛かり防止装置３０の挿通孔３２を、つり下げフック１４の先部１９に差込み、引っ掛かり防止装置３０をつり下げフック１４に沿って、その水平部２０まで移動させる。なお、各バッグ掛止部１５、１６の先部１９と水平部２０との間には隙間２１が形成され、しかもメッシュ当接部３１はスポンジで形成されているため、引っ掛かり防止装置３０を、図２（Ｃ）に示す位置まで移動させることができる。
【００３６】
そして、点滴スタンド１２に設けられた各バッグ掛止部１５、１６の一方又は双方のつり下げフック１４に、点滴バッグをかける。
このように、つり下げフック１４に点滴バッグをつり下げた後は、メッシュ当接部３１が、つり下げフック１４の先部１９に、接触又は僅少の隙間を有するように、引っ掛かり防止装置３０を移動させる。
これにより、患者がトイレ等の事情でベッドから離れる場合においても、つり下げフック１４が、カーテン１１のメッシュ部１３に引っ掛かることを防止できる。
【００３７】
次に、本発明の第３の実施の形態に係る点滴スタンドの引っ掛かり防止装置（以下、単に引っ掛かり防止装置ともいう）４０について、図３（Ａ）〜（Ｃ）を参照しながら説明するが、前記した引っ掛かり防止装置１０と同一部材には同一の番号を付し、詳しい説明を省略する。
引っ掛かり防止装置４０は、支柱１７の上部に設けられた２つのバッグ掛止部４１、４２に取付けるものである。この各バッグ掛止部４１、４２は、金属（例えば、ステンレス）製の板材で構成され、支柱１７の上部に設けられた取付け部４３の両側に取付け固定され、先側には、つり下げフック４４が設けられたものである。なお、このバッグ掛止部４１、４２は、前記したバッグ掛止部１５、１６と同一の機能を備えるものである。
【００３８】
このつり下げフック４４は、正面視してＵ字状の形状となっているため、この端部がカーテン１１のメッシュ部分１３に引っ掛かる（図１（Ｃ）参照）。
そこで、各バッグ掛止部４１、４２に、引っ掛かり防止装置４０を取付ける。
引っ掛かり防止装置４０は、正面視して台形状となった厚みを有する２つのスポンジ４５、４６で形成されたメッシュ当接部４７（引っ掛かり防止装置本体）を有している。
このメッシュ当接部４７は、カーテン１１のメッシュ部１３の格子の内法よりも幅広であり、メッシュ部１３の網目内に入り込まない構造となっている。
【００３９】
即ち、図３（Ａ）に示すように、メッシュ部１３に接触する台形状のスポンジ４５、４６の下端幅Ｗ（上端幅でもよい）が、メッシュ部１３の格子の内法Ｌより大きく、しかも、図１（Ａ）、（Ｂ）に示すように、各スポンジ４５、４６の高さ方向の幅Ｈ４、Ｈ５が、メッシュ部１３の格子の内法Ｌより大きい。
この２つのスポンジ４５、４６の対向面側には、クリップ２５の取手２７、２８が、それぞれ取付けられている。このように、各スポンジ４５、４６をクリップ２５に取付けるに際しては、各スポンジ４５、４６の幅方向に突出した部分が、つり下げフック４４の上方を部分的に覆うように取付ける。
なお、引っ掛かり防止装置を、クリップを使用することなく、１つのスポンジで構成し、その下側半分に切込みを入れ、各バッグ掛止部４１、４２に取付けてもよい。
【００４０】
この引っ掛かり防止装置４０の突出した部分とつり下げフック４４との間には、隙間が形成されているが、引っ掛かり防止装置の構成を、つり下げフックの上端に接触するような構成にしてもよい。
以上に示したように、点滴スタンドの引っ掛かり防止装置の構成は、点滴スタンドのバッグ掛止部の形状に応じて、適宜変更できる。
以上のことから、構成が簡単で操作性がよく、しかも経済的に製造でき、点滴中の患者が安全に安心して移動可能な点滴スタンドの引っ掛かり防止装置及びこれを用いた点滴スタンドを提供できる。
【００４１】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明の点滴スタンドの引っ掛かり防止装置及びこれを用いた点滴スタンドを構成する場合も本発明の権利範囲に含まれる。
例えば、前記実施の形態においては、引っ掛かり防止装置のメッシュ当接部をスポンジで構成した場合について説明したが、ゴム又は合成樹脂（例えば、プラスチック等）で構成することもできる。この場合、角部を面取りすることが好ましい。
また、点滴スタンドの構成は、バッグ掛止部のつり下げフックがカーテンのメッシュ部分に引っ掛かる構造であれば、前記した実施の形態の構成に限定されるものではない。
【符号の説明】
【００４２】
１０：点滴スタンドの引っ掛かり防止装置、１１：カーテン、１２：点滴スタンド、１３：メッシュ部、１４：つり下げフック、１５、１６：バッグ掛止部、１７：支柱、１８：取付け部、１９：先部、２０：水平部、２１：隙間、２２、２３：スポンジ、２４：メッシュ当接部、２５：クリップ（取付手段）、２６：挟持部、２７、２８：取手、３０：点滴スタンドの引っ掛かり防止装置、３１：メッシュ当接部、３２：挿通孔（取付手段）、４０：点滴スタンドの引っ掛かり防止装置、４１、４２：バッグ掛止部、４３：取付け部、４４：つり下げフック、４５、４６：スポンジ、４７：メッシュ当接部
【図１】
2011010709.tif 000003
【図２】
2011010709.tif 000004
【図３】
2011010709.tif 000005
【図４】
2011010709.tif 000006